(57)【特許請求の範囲】
【請求項１】
浄化槽の放流水をポンプアップして放流する放流ポンプ槽を備えた浄化槽装置であって、前記ポンプ槽を浄化槽本体の外側で、且つ浄化槽本体が設置される床盤上面より離間して、浄化槽本体における消毒槽側のマンホールの立ち上がり部と放流ポンプ槽の上部に形成したフランジを上部取付金具で連結し、且つ浄化槽本体のフランジと放流ポンプ槽の底部を下部取付金具で連結し、放流ポンプ槽を水平に支持したことを特徴とする浄化槽装置。
【請求項２】
前記上部取付金具は、浄化槽本体における消毒槽側のマンホールの立ち上がり部と放流ポンプ槽の上部にアイボルトを取り付け、その両アイボルトに亘ってターンバックルを備えた連結棒を係着し、下部取付金具は放流ポンプ槽の底部にアングルを取付け、これを浄化槽本体のフランジに取り付けた固定アングルにボルト・ナットで固定したことを特徴とする請求項１記載の浄化槽装置。
【発明の詳細な説明】
【０００１】
【発明の属する技術分野】
本発明は浄化槽装置に関し、詳しくは浄化槽本体の流出管が、側溝などの放流先の高さより低い場合、浄化槽の放流水をポンプアップして放流する放流ポンプ槽を備えた浄化槽装置に関する。
【０００２】
【従来の技術】
従来、浄化槽の放流水をポンプアップして放流する放流ポンプ槽を備えた浄化槽装置として、以下に示す２タイプが存在する。
▲１▼  放流ポンプ槽を浄化槽本体の内部に区画形成し、該部に放流ポンプ（水中ポンプ）を装着した内蔵タイプ。
▲２▼  放流ポンプ槽Ｂ’を浄化槽本体Ａ’とは独立して別個に形成し、地下に構築した基礎の鉄筋コンクリート製の床盤２３上に並べて設置し、浄化槽本体の流出管２４を放流ポンプ槽に連結する並列設置埋設タイプ。（図５参照）
【０００３】
そして、上記したいずれのタイプにおいても、放流ポンプ槽には予備も含めて２台の放流ポンプが設置され、多量の汚水が流入した場合には、予備のポンプも同時に運転できるように構成されている。
【０００４】
【発明が解決しようとする課題】
しかして、上記した従来装置において、▲１▼は浄化槽本体内に放流ポンプ槽が一体に区画形成されているが、放流ポンプ槽を必要としない現場では、その分の容積が無駄となる。
他方、▲２▼は浄化槽本体と放流ポンプ槽が別体である為、埋設設置には浄化槽本体＋放流ポンプ槽の設置スペースが必要である。そして、設置の為の基礎であるコンクリート製の床盤は、放流ポンプ槽分も連続して一体にしっかり施工しなければならず、施工時の費用が増大するという問題点を有する。
従って、従来はポンプアップして放流する現場にあっては、浄化槽本体を設置した後、後付けで放流ポンプ槽を容易に設置する事はほとんど不可能である。
【０００５】
本発明は、上記した従来の技術が有する問題点に鑑みてなされたもので、その目的とするところは、ポンプアップして放流する必要がある現場でも、基礎のコンクリート製床盤を構築する事なく浄化槽本体と別体構造の放流ポンプ槽を据え付け設置できる浄化槽装置を提供することにある。
【０００６】
【課題を解決するための手段】
上記目的を達成する為に本発明が講じた技術的手段は、浄化槽の放流水をポンプアップして放流するポンプ槽を備えた浄化槽装置であって、前記ポンプ槽を浄化槽本体の外側で、且つ浄化槽本体が設置される床盤上面より離間して、浄化槽本体に着脱可能に連結支持した構成を特徴とする。即ち、放流ポンプ槽を浄化槽本体に背負わせた形態とする。
浄化槽本体は、上槽と下槽からなる二分割タイプ、或いは上槽、下槽、及び中間パネルからなる三分割タイプの何れでも良く、且つそれらを形成する材質もガラス繊維強化プラスチック（ＦＲＰ）に限らず、補強繊維を含まない合成樹脂単独（例えばジシクロペンタジェン）でもよいものである。
又、浄化槽本体の処理方式は、嫌気濾床接触ばっ気方式、分離接触ばっ気方式、或いは生物濾過方式等、今日周知となっている何れの方式でもよいものである。
【０００７】
浄化槽本体に対する放流ポンプ槽の連結支持は、浄化槽本体の消毒槽側マンホールの立ち上がり部及び浄化槽本体の高さ方向中程に位置するフランジを利用し、これらに取付金具を介して水平に支持する。
その取付金具による取付例としては、浄化槽本体の消毒槽側マンホールの立ち上がり部と放流ポンプ槽の上部にアイボルトを取り付け、その両アイボルトに亘ってターンバックルを備えた連結棒を係着し、且つ放流ポンプ槽の底部にアングルを取り付け、これを浄化槽本体のフランジに取り付けた固定アングルにボルト・ナットで固定して取り付ける。
【０００８】
上記手段によれば、放流ポンプ槽は浄化槽本体の外側に取付金具で着脱可能に連結支持されるため、放流ポンプ槽を設置する為のコンクリート製床盤の施工は不要となり、放流ポンプ槽の交換を行う必要がある場合には容易に行なうことが出来る。そして、取付金具の連結は、浄化槽本体のマンホールの立ち上がり部及び浄化槽本体の高さ方向中程に位置するフランジを利用する為、浄化槽本体は従来構造をそのまま利用することが出来ると共に、取付作業を容易に行なうことが出来る。
【０００９】
【発明の実施の形態】
以下、本発明の実施の形態を図面に基づいて説明する。
図１は浄化槽本体の外側上部に放流ポンプ槽を取り付けた状態を示し、図中、Ａは浄化槽本体、Ｂは放流ポンプ槽、Ｃは取付金具である。
【００１０】
浄化槽本体Ａは、ガラス繊維強化プラスチック（ＦＲＰ）で形成した上槽１と下槽１’を、夫々の接合部に設けたフランジ２、２’を接合して一体化した今日周知の形態のもので、内部には嫌気濾床槽第一室ａ１、嫌気濾床槽第二室ａ２、接触ばっ気槽ａ３、沈殿槽ａ４、及び消毒槽ａ５が夫々区画形成され、更に前記嫌気濾床槽第一室ａ１の上部周壁には汚水を浄化槽本体Ａに流入する流入管３が取り付けられ、消毒槽ａ５の上部周壁には浄化消毒済みの処理水を放流ポンプ槽Ｂに流す流出口が形成されている。尚、浄化槽本体Ａの形態及び内部の構成（処理方式）は図示の形態に限定されるものではない。
【００１１】
又、浄化槽本体Ａを構成する上槽１の上部には、前記した嫌気濾床槽第一室ａ１の上方、嫌気濾床槽第二室ａ２と接触ばっ気槽ａ３の上方、及び消毒槽ａ５の上方に位置させて清掃孔として供するマンホール４、４’、４”が形成され、且つ内部には浄化に必要な装備（エアーリフトポンプ、薬剤筒、スカムバッフル等）及び各種配管（汚泥移送管、散気管、逆洗管等）が配設されている。
この構成により、流入管３から浄化槽本体Ａに流入した汚水、汚泥は嫌気濾床槽第一室ａ１→嫌気濾床槽第二室ａ２→接触ばっ気槽ａ３→沈殿槽ａ４→消毒槽ａ５へと移行することで浄化処理される。そして、処理水は消毒槽ａ５から放流ポンプ槽Ｂへ流出される。
【００１２】
放流ポンプ槽Ｂは、前記した浄化槽本体Ａ同様、ガラス繊維強化プラスチック（ＦＲＰ）で形成した上槽５と下槽５’を、夫々の接合部に設けたフランジ６、６’を接合して一体化した今日周知の形態のもので接合一体化して構成され、その放流ポンプ槽Ｂにおける前記浄化槽本体Ａの流出口２０と対向する周壁に流入口２１が、反対側の周壁上部には流出口２２が夫々開口形成され、浄化槽本体Ａの流出口２０と放流ポンプ槽Ｂの流入口２１は移流管７で連絡され、浄化槽本体Ａで浄化された処理水が放流ポンプ槽Ｂに流入されるように構成されている。
【００１３】
そして、上記放流ポンプ槽Ｂの内部には、該放流ポンプ槽Ｂに流入された処理水をポンプアップする２基の放流ポンプ（水中ポンプ）８が設置され、その２基の放流ポンプ８の吐出側は合流されて１箇所に纏められ、それに流出管１９が取り付けられて周壁に開設した流出口よりポンプ槽外に案内突出し、浄化槽本体Ａの流出口より上位の排水溝等に処理水を放流し得るようになっている。尚、２基の放流ポンプ８の内、通常は１基のみが所定の水位で起動／停止し、処理水が集中して流入し所定の水位に達した場合、もう１基の放流ポンプも起動するようになっている。また、２基の放流ポンプ８の起動／停止は、水位の上昇／下降に伴なって上下するフロートスイッチ（図示省略）で制御されるようになっている。
【００１４】
上記の如く構成した放流ポンプ槽Ｂは、前記した浄化槽本体Ａにおける消毒槽ａ５側の外側に、取付金具Ｃで着脱可能に連結支持されている。
その取付金具Ｃは、浄化槽本体Ａの消毒槽ａ５側のマンホール４”の立ち上がり部と、放流ポンプ槽Ｂの上部に形成した接合一体化のフランジ６、６’とを連結する上部取付金具Ｃ１と、浄化槽本体Ａの接合一体化のフランジ２、２’と放流ポンプ槽Ｂの底部を連結する下部取付金具Ｃ２とで構成され、この上・下部取付金具Ｃ１、Ｃ２で放流ポンプ槽Ｂが水平に支持されている。
【００１５】
上部取付金具Ｃ１は、浄化槽本体Ａの消毒槽ａ５側のマンホール４”の立ち上がり部と、放流ポンプ槽Ｂの上部に形成した接合一体化のフランジ６、６’に、それぞれ幅方向に間隔をおいて２個取り付けたアイボルト９、１０と、その浄化槽本体Ａのアイボルト９と放流ポンプ槽Ｂのアイボルト１０とに亘って引っ掛けるターンバックル１２を備えた連結棒１１とで構成されている。
【００１６】
下部取付金具Ｃ２は、浄化槽本体Ａの接合一体化のフランジ２、２’上に幅方向に間隔をおいてボルト・ナットで固定する固定アングル１３と、放流ポンプ槽Ｂの底部外側に、奥行き方向に沿って２本平行に取り付ける長尺アングル１４とで構成され、長尺アングル１４の水平面にはその長さ方向に沿って長孔１５が形成され、放流ポンプ槽Ｂの底部に対する長尺アングル１４の位置をスライド調整し得るように構成されている。
【００１７】
以下、上記した上部取付金具Ｃ１と下部取付金具Ｃ２とで浄化槽本体Ａに放流ポンプ槽Ｂを取り付ける手順を図４に基づき説明する。
（１）浄化槽本体Ａの消毒槽ａ５側のマンホール４”の立ち上がり部にアイボルト９を２個取り付け、且つ接合一体化のフランジ２、２’上に固定アングル１３を２個取り付け、更に浄化槽本体Ａの流出口２０に所定長さの移流管７を差し込み接続する。（図４（ａ）参照）
（２）放流ポンプ槽Ｂの底部外側に長尺アングル１４を２本、奥行き方向に沿って取り付ける。その取り付けは、図４（ｃ）に示すように、放流ポンプ槽Ｂの底部に開けた孔と長尺アングル１４の水平片に開設した長孔１５とに亘りボルト１６を挿通し、そのボルト１６にナット１６’を螺合して締結する。尚、放流ポンプ槽Ｂ内のボルト１６の取り付け部は、繊維強化プラスチックのシート１７で被覆して防水処理が施されている。又、放流ポンプ槽Ｂにおける接合一体化のフランジ６、６’にアイボルト１０を２個取り付ける。
そして、アイボルト１０と長尺アングル１４を取り付けた放流ポンプ槽Ｂを持ち上げ、移流管７に流入口２１を差し込み、接続する。（図４（ｂ）参照）
（３）浄化槽本体Ａ側のアイボルト９と、放流ポンプ槽Ｂ側のアイボルト１０とに亘って連結棒１１を引っ掛けて固定し、放流ポンプ槽Ｂが水平になるように連結棒１１のターンバックル１２を回して長さ（Ｌ）を調整する。最後に、放流ポンプ槽Ｂの底部に取り付けてある長尺アングル１４のナット１６’を弛めて該長尺アングル１４の長さ（位置）を調整し、調整後、先に浄化槽本体Ａのフランジ２、２’に固定した固定アングル１３にボルト１８とナット１８’で締結固定する。（図４（ｃ）参照）
これで取り付けは完了する。
【００１８】
上記の構成により、放流ポンプ槽は、コンクリート製床盤を構築し、その上に浄化槽本体を設置した後でも、放流ポンプ槽の床盤を構築することなく、後付で簡単に取り付けることが出来る。
従って、設置現場に浄化槽本体（放流ポンプ槽を内蔵しないタイプの浄化槽）のみを送り設置しようとした場合、現場の状況が処理水をポンプアップしなければ放流できない状況であっても、放流ポンプ槽の設置を、床盤を施工することなく容易に取りつけることが出来る。
【００１９】
【発明の効果】
本発明の浄化槽装置は請求項１、２記載の構成により、放流ポンプ槽の後付け施工を容易に行うことができる。又、浄化槽本体のマンホール立ち上がり部とフランジ及び放流ポンプ槽のフランジと底部を利用して取付金具で支持する為、浄化槽本体及び放流ポンプ槽はその為の設計変更の必要はなく、従来構造をそのまま利用でき非常に便利である。
【図面の簡単な説明】
【図１】本発明に係る浄化槽装置の実施の形態を示す断面図である。
【図２】要部の拡大斜視図である。
【図３】放流ポンプ槽の取付部を示す一部切欠側面図である。
【図４】（ａ）〜（ｃ）は放流ポンプ槽の取り付け手順を示す説明図、（ｄ）は放流ポンプ槽の底部の支持構造を示す部分断面図である。
【図５】従来の浄化槽装置を示す説明図である。
【符号の説明】
Ａ…浄化槽本体              Ｂ…放流ポンプ槽
Ｃ…取付金具              Ｃ１…上部取付金具
Ｃ２…下部取付金具      ２、２’…浄化槽本体のフランジ
４、４’、４”…マンホール        ６、６’…放流ポンプ槽のフランジ
９、１０…アイボルト            １１…連結棒
１２…ターンバックル        １３…固定アングル
１４…長尺アングル
【図１】
0003588054.tif 000002
【図２】
0003588054.tif 000003
【図３】
0003588054.tif 000004
【図４】
0003588054.tif 000005
【図５】
0003588054.tif 000006